(57)【要約】【課題】  電線にコルゲートチューブを的確、容易に装着することができ、構造が簡単で取り扱いが容易なほか、コストの安価なコルゲートチューブ装着治具を提供する。【解決手段】  電線に長手方向にスリットを有するコルゲートチューブを装着するコルゲートチューブ装着治具１０であって、装着治具本体１２に、コルゲートチューブ内に挿入されてコルゲートチューブを拡径する第１、第２の拡径部材１４、１６がＶ型に、且つ、前記第１、第２の拡径部材１４、１６がコルゲートチューブ内に挿入されたとき、拡開された前記スリットの縮閉作用による締付力で開き角度が狭まるように設けられ、コルゲートチューブ内に挿入された両拡径部材１４、１６の外側部で拡開されたスリットの縁部が摺接しながら支持されている。【選択図】        図１
2007028766.tif 000002
【特許請求の範囲】
【請求項１】
電線に長手方向にスリットを有するコルゲートチューブを装着するコルゲートチューブ装着治具であって、装着治具本体に、コルゲートチューブ内に挿入されてコルゲートチューブを拡径する第１、第２の拡径部材がＶ型に設けられ、コルゲートチューブ内に挿入された両拡径部材の外側部で拡径されたコルゲートチューブの内側面又は拡開されたスリットの縁部が摺接しながら支持されることを特徴とするコルゲートチューブ装着治具。
【請求項２】
前記第１、第２の拡径部材がコルゲートチューブ内に挿入されたとき、拡開された前記スリットの縮閉作用による締付力で開き角度が狭まるように装着治具本体に設けられ、両拡径部材の外側部に前記スリットの縁部が摺接しながら支持される案内溝が形成されていることを特徴とする請求項１記載のコルゲートチューブ装着治具。
【請求項３】
前記装着治具本体に、その装着治具本体を保持すると共に、電線を把持するグリップが、電線に装着されるコルゲートチューブ側に延出するように取り付けられていることを特徴とする請求項２記載のコルゲートチューブ装着治具。
【請求項４】
前記第１、第２の拡径部材を拡開状態に保持する付勢部材を備えていることを特徴とする請求項２又は３記載のコルゲートチューブ装着治具。
【請求項５】
前記装着治具本体がコルゲートチューブのサイズに合わせて第１、第２の拡径部材の開き角度を調整可能な拡径部材角度調整機構で構成されていることを特徴とする請求項１記載のコルゲートチューブ装着治具。
【発明の詳細な説明】
【技術分野】
【０００１】
本発明はワイヤーハーネスその他の電線（光ケーブルを含む）を保護するために、電線にコルゲートチューブを装着するコルゲートチューブ装着治具に関するものである。
【背景技術】
【０００２】
ワイヤーハーネスその他の電線を車体、建造物の床、壁等に取り付ける際、電線を保護するために、電線に合成樹脂又は金属製のコルゲートチューブを被せて装着する場合がある。コルゲートチューブは蛇腹状の管体の長手方向にスリットを有するもので、そのスリットを拡開させ、電線に被せて装着する。従来、このような作業は作業者が手作業で行っていたが、作業能率が悪く、長時間作業を続けると、手を痛めたりする。
【０００３】
このため、最近では、図１２に示すように、コルゲートチューブ１のスリット１ａを烏口状の装着治具２で拡開させ、装着治具２をコルゲートチューブ１に沿って移動させながら、装着治具２内に案内された電線Ａを指でコルゲートチューブ１内に押し込めて、電線Ａにコルゲートチューブ１を装着するようにしたものがある（特許文献１参照）。
【０００４】
また、図１３に示すように、装着治具４として、コルゲートチューブ１の長手方向に相対的に移動する本体５に、コルゲートチューブ１の長手方向のスリット１ａを拡開する烏口状ガイド板６と、前記ガイド板６との間に電線Ａを挟み、該電線Ａをコルゲートチューブ１内にガイドする電線誘導ローラ７と、コルゲートチューブ１の前記スリット１ａ内側に挿入され、前記スリット１ａに沿って本体５をガイドするガイドリブ８とを備えたものが提案されている（特許文献１参照）。
【０００５】
【特許文献１】特開２０００−４８６５７号公報
【発明の開示】
【発明が解決しようとする課題】
【０００６】
しかしながら、前者の装着治具２（図１２参照）は構造が非常に簡単であるが、装着治具２でコルゲートチューブ１のスリット１ａを拡開させながらスリット１ａに沿って移動させると、コルゲートチューブ１の拡開されたスリット１ａ部分が、コルゲートチューブ装着治具の中心軸線の回りを回動して、該チューブの周方向にずれ易くなる。従って、電線Ａをコルゲートチューブ１内に押し込めることが容易でなく、電線Ａにコルゲートチューブ１を正しく装着することができなくなったり、装着が困難になったりする不具合がある。後者の装着治具４（図１３参照）はこのような不具合が改善されるが、構造が複雑でコストが高くなるという不具合がある。
【０００７】
本発明は上記の課題を解決するために生まれたもので、電線にコルゲートチューブを正しく、且つ、容易に装着することができ、構造が簡単で取り扱いが容易なほか、コストの安価なコルゲートチューブ装着治具を提供することを目的とするものである。
【課題を解決するための手段】
【０００８】
上記目的を達成するために、本発明の請求項１に記載されたコルゲートチューブ装着治具は、電線に長手方向にスリットを有するコルゲートチューブを装着するコルゲートチューブ装着治具であって、装着治具本体に、コルゲートチューブ内に挿入されてコルゲートチューブを拡径する第１、第２の拡径部材がＶ型に設けられ、コルゲートチューブ内に挿入された両拡径部材の外側部で、拡径されたコルゲートチューブの内側面又は拡開されたスリットの縁部が摺接しながら支持されることを特徴とするものである。
【０００９】
本発明の請求項２に記載されたコルゲートチューブ装着治具は、請求項１記載のものにおいて、前記第１、第２の拡径部材がコルゲートチューブ内に挿入されたとき、拡開された前記スリットの縮閉作用による締付力でＶ型の開き角度が狭まるように装着治具本体に設けられ、両拡径部材の外側部に前記スリットの縁部が摺接しながら支持される案内溝が形成されていることを特徴とするものである。
【００１０】
本発明の請求項３に記載されたコルゲートチューブ装着治具は、請求項２記載のものにおいて、前記装着治具本体に、その装着治具本体を保持すると共に、電線を把持するグリップが、電線に装着されるコルゲートチューブ側に延出するように取り付けられていることを特徴とするものである。
【００１１】
本発明の請求項４に記載されたコルゲートチューブ装着治具は、請求項２又は３記載のものにおいて、前記第１、第２の拡径部材を拡開状態に保持する付勢部材を備えていることを特徴とするものである。
【００１２】
本発明の請求項５に記載されたコルゲートチューブ装着治具は、請求項１記載のものにおいて、前記装着治具本体がコルゲートチューブのサイズに合わせて第１、第２の拡径部材の開き角度を調整可能な拡径部材角度調整機構で構成されていることを特徴とするものである。
【発明の効果】
【００１３】
本発明の請求項１記載のコルゲートチューブ装着治具によると、コルゲートチューブ内に挿入された両拡径部材の外側部で、拡径されたコルゲートチューブの内側面又は拡開されたスリットの縁部が摺接しながら支持されるので、装着治具本体をコルゲートチューブに沿って移動させ、第１、第２の拡径部材をコルゲートチューブ内に挿入してコルゲートチューブを拡径し、スリットを拡開した後、拡開されたスリット部分がコルゲートチューブ装着治具の中心軸線の回りを回動しなくなり、該チューブの周方向にずれにくくなる。従って、電線をコルゲートチューブ内に挿入することが容易になり、電線にコルゲートチューブを確実に装着することができる。また、構造が簡単でコストが安くなるほか、取り扱いが容易になり、コルゲートチューブの装着の作業性を向上させることができる。
【００１４】
本発明の請求項２記載のコルゲートチューブによると、両拡径部材の外側部に前記スリットの縁部が摺接しながら支持される案内溝が形成されているので、拡開されたスリット部分がコルゲートチューブの周方向に一層ずれにくくなる。また、前記第１、第２の拡径部材がコルゲートチューブ内に挿入されたとき、拡開された前記スリットの縮閉作用による締付力でＶ型の開き角度が狭まるように装着治具本体に設けられているので、コルゲートチューブ内に挿入された電線が該チューブの中心近傍で第１、第２の拡径部材に挟まれて保持される。更に、電線の太さが異なっても、これを両拡径部材間で容易に挟むことができる。従って、電線にコルゲートチューブをより確実、容易に装着することができ、コルゲートチューブの装着の作業性をより向上させることができる。
【００１５】
本発明の請求項３記載のコルゲートチューブ装着治具によると、前記装着治具本体に、その装着治具本体を保持すると共に、電線を把持するグリップが、電線に装着されるコルゲートチューブ側に延出するように取り付けられているので、装着治具本体をコルゲートチューブに沿って移動させ、第１、第２の拡径部材をコルゲートチューブ内に挿入してコルゲートチューブを拡径する際、電線を把持しながら行える。従って、電線をコルゲートチューブ内に一定の挿入角度で挿入することが可能になり、電線にコルゲートチューブを速やかに安定して装着することができる。
【００１６】
本発明の請求項４記載のコルゲートチューブ装着治具によると、第１、第２の拡径部材が付勢部材により拡開状態に保持されるので、コルゲートチューブの装着作業を開始するにあたり、電線に第１、第２の拡径部材を速やかに挟むことが可能になり、コルゲートチューブの装着の作業性を更に向上させることができる。
【００１７】
本発明の請求項５記載のコルゲートチューブ装着治具によると、前記装着治具本体がコルゲートチューブのサイズに合わせて第１、第２の拡径部材の開き角度を調整可能な拡径部材角度調整機構で構成されているので、コルゲートチューブのサイズが異なった場合には、そのサイズに合った第１、第２の拡径部材の開き角度に調整すればよく、使用に便利である。また、該装着治具を複数用意する必要がなく経済的である。更に、該装着治具の構造が簡単になり軽量小型化を図ることができる。
【発明を実施するための最良の形態】
【００１８】
次に本発明の実施形態を図面に基づいて詳細に説明する。図１は本発明に係るコルゲートチューブ装着治具の１実施形態を示す斜視図、図２は図１のＸ−Ｘ断面図、図３は図１のＹ−Ｙ断面図、図４は本実施形態の装着治具を電線にセットして、コルゲートチューブの装着作業を開始する状態を示す斜視図、図５は本実施形態のコルゲートチューブ装着治具を用いて電線にコルゲートチューブを装着している状態を示す斜視図、図６は図５のＺ−Ｚ断面図である。なお、従来技術に記載されたものと同一構成のものには同一符号が付してある。
【００１９】
本実施形態のコルゲートチューブ装着治具１０は、図１乃至図３に示すように、電線Ａに、蛇腹状の合成樹脂又は金属製管体の長手方向にスリット１ａを有するコルゲートチューブ１（図６参照）を装着するために使用される。
【００２０】
コルゲートチューブ装着治具１０は、先端にコルゲートチューブ１のスリット１ａに割り込んでスリット１ａの拡開を補助するくさび状の割込み部１２ａが設けられた金属片からなる装着治具本体１２の基部側に、コルゲートチューブ１内に挿入されてコルゲートチューブ１を案内しながら拡径し、スリット１ａを拡開する、例えば、断面略矩形状の金属片からなる第１、第２の拡径部材１４、１６がＶ型に、且つ、コルゲートチューブ１内に挿入されたとき、拡開されたスリット１ａの縮閉作用による締付力でＶ型の開き角度が狭まるように設けられている。そして、両拡径部材１４、１６がコルゲートチューブ１内に挿入されたとき、拡開された前記スリット１ａの縮閉作用による締付力で開き角度が狭まり、例えば、ワイヤーハーネス用の複数本の電線Ａを挟みながら摺動自在に保持するようになっている。なお、装着治具本体１２の先端に割込み部１２ａが設けられていると、第１、第２の拡径部材１４、１６でコルゲートチューブ１を円滑に拡径し、スリット１ａを拡開することができるので好ましい。
【００２１】
更に詳細に述べると、第１の拡径部材１４は、装着治具本体１２の基部側が割込み部１２ａとは反対方向に延出されることにより、装着治具本体１２と一体に設けられている。第２の拡径部材１６の基部側は、装着治具本体１２（第１の拡径部材１４）の基部側に、ヒンジ継手１８により枢着されている。これにより、第２の拡径部材１６は、第１の拡径部材１４に対して開き角度が可変する。第１、第２の拡径部材１４、１６の各先端は、コルゲートチューブ１内に挿入される電線Ａを挟み易いように少し内側にわん曲するように形成されている。
【００２２】
ヒンジ継手１８は、図２に示すように、第１の拡径部材１４の基部側に横向きに突設された１個の鍔１４ａと、第２の拡径部材１６の基部側に前記鍔１４ａが嵌合されるように間隔をおいて突設された２個の鍔１６ａ、１６ａと、鍔１４ａが嵌合された２個の鍔１６ａ、１６ａに挿入され、第２の拡径部材１６を装着治具本体１２の基部側に回動自在に支持させるボルト（枢支軸）２０ａ及びナット２０ｂよりなる枢支部２０とから構成されている。
【００２３】
第１、第２の拡径部材１４、１６の各外側部には、両拡径部材１４、１６により拡開されたコルゲートチューブ１のスリット１ａの縁部１ｂ、１ｂが摺接しながら支持される略Ｖ型の案内溝２２が、同じ大きさで左右反対向きに形成されている。両案内溝２２は外側方に開口する略Ｖ型に形成され、その谷底が上下中央部よりも上方に偏位し、これより上方の傾斜面が下方の傾斜面よりも勾配が大きくなっている。
【００２４】
また、装着治具本体１２の基部側の下部には、図１に示すように、装着治具本体１２を保持すると共に、電線Ａを把持する棒状のグリップ２４が、電線Ａに装着されるコルゲートチューブ１側、即ち、割込み部１２ａ側に延出するように、取付角度の調節可能な連結継手２６で取り付けられている。グリップ２４はその先端（割込み部１２ａ側）に手の滑りを止めるタブ状の突起２８が設けられている。
【００２５】
連結継手２６は、図３に示すように、グリップ２４の基部側に隙間をおいて突設された２個の鍔２４ａ、２４ａと、装着治具本体１２の基部側の下部に、コルゲートチューブ１側、即ち、割込み部１２ａ側に向けて突設され、グリップ２４の鍔２４ａ、２４ａ間の隙間に嵌合される鍔１２ｂと、鍔１２ｂが嵌合された２個の鍔２４ａ、２４ａに挿入され、グリップ２４を装着治具本体１２に所定の取付角度で締付け固定するボルト３０ａ及びナット３０ｂよりなる固定部３０とから構成されている。
【００２６】
グリップ２４が連結継手２６により装着治具本体１２に取り付けられていると、グリップ２４の取付角度をコルゲートチューブ１の内外径、肉厚等のサイズや材質に応じて調節することが可能になる。例えば、コルゲートチューブ１のサイズが大きく、剛性が高くなるような場合には、固定部３０を締め付け直して、グリップ２４の装着治具本体１２の長手方向軸線に対する取付角度を大きく設定する。このようにすると、電線Ａをコルゲートチューブ１内に挿入して、電線Ａに該チューブ１を装着し易くなるので好ましい。
【００２７】
３２は第１、第２の拡径部材１４、１６の基部側に両端が固定され、両拡径部材１４、１６を所定の開き角度で拡開状態に保持する付勢部材である圧縮コイルばねである。
【００２８】
本実施形態のコルゲートチューブ装着治具１０は以上のような構成になっている。次に、この装着治具１０を用いて電線Ａにコルゲートチューブ１を装着する方法を説明する。
【００２９】
先ず、図４に示すように、コルゲートチューブ装着治具１０の第１、第２の拡径部材１４、１６を電線Ａの長手方向に沿わせ、両拡径部材１４、１６で電線Ａを挟むようにして、コルゲートチューブ装着治具１０を電線Ａにセットする。
【００３０】
次に、図５に示すように、その装着治具１０のグリップ２４を左手で握って装着治具１０を保持すると共に、その手で電線Ａを把持し、右手でコルゲートチューブ１の外周面を押さえて保持した状態で、装着治具本体１２をコルゲートチューブ１に沿って同図の矢印Ｐ方向に移動させる。そして、割込み部１２ａをコルゲートチューブ１のスリット１ａに割り込ませながら、コルゲートチューブ１内に第１、第２の拡径部材１４、１６を挿入し、コルゲートチューブ１を拡径し、これによりスリット１ａを割込み部１２ａの拡開作用と相俟って拡開する。
【００３１】
そして、コルゲートチューブ１を、その拡開されたスリット１ａの縁部１ｂ、１ｂを第１、第２の拡径部材１４、１６の外側部に形成された案内溝２２で案内しながら支持して、装着治具本体１２に対するスリット１ａの位置ずれを押えながら、電線Ａを拡開されたスリット１ａからコルゲートチューブ１内に挿入し、電線Ａを、図６に示すように、拡開された前記スリット１ａの縮閉作用による締付力で縮閉作動する両拡径部材１４、１６間に挟んで保持する。このようにして、前記装着治具１０を矢印Ｐ方向に移動させながら、電線Ａを第１、第２の拡径部材１４、１６により、コルゲートチューブ１内のほぼ中央に案内しながら挿入し、電線Ａにコルゲートチューブ１を全長又は所定長さ区間にわたり被せて装着する。
【００３２】
図７は第１、第２の拡径部材１４、１６の各外側部に形成される案内溝の変形例を示すもので、（ａ）は上外縁部を外側方に突出させた逆Ｌ型の案内溝３４からなるもの、（ｂ）は外側方に開口するコ字状の案内溝３６からなるものである。
【００３３】
図８はグリップ２４の変形例を示すもので、（ａ）のグリップ３８は、その先端に手の滑りを止めるタブ状の突起２８に代えて、コ字状の突起４０を設けたもの、（ｂ）のグリップ４２はその略全長にわたりコ字状の突起４４を設けたものである。
【００３４】
また、第１、第２の拡径部材を拡開状態に保持する付勢部材としては圧縮コイルばね３２の代わりに、例えば、図示省略するが、ヒンジ継手１８における枢支部２０のボルト２０ａの外周にねじりコイルばねを巻装し、その一端を第２の拡径部材１６の基部側に固定し、他端を第１の拡径部材１４の基部側又は装着治具本体１２の基部側に固定し、両拡径部材１４、１６を所定の開き角度で拡開状態に保持させるようにしてもよい。
【００３５】
本実施形態のコルゲートチューブ装着治具１０によると、コルゲートチューブ１内に挿入された両拡径部材１４、１６の外側部で、拡径されたコルゲートチューブ１のスリット１ａの縁部１ｂが摺接しながら支持されることにより、装着治具本体１２をコルゲートチューブ１に沿って移動させ、第１、第２の拡径部材１４、１６をコルゲートチューブ１内に挿入してコルゲートチューブ１を拡径し、スリット１ａを拡開した後、拡開されたスリット１ａ部分がコルゲートチューブ装着治具１０の中心軸線の回りを回動しなくなり、該チューブ１の周方向にずれにくくなる。従って、電線Ａをコルゲートチューブ１内に挿入することが容易になり、電線Ａにコルゲートチューブ１を確実に装着することができる。また、構造が簡単でコストが安くなるほか、取り扱いが容易になり、コルゲートチューブ１の装着の作業性を向上させることができる。
【００３６】
また、両拡径部材１４、１６の外側部に前記スリット１ａの縁部１ｂが摺接しながら支持される案内溝２２、３４、３６が形成されることにより、拡開されたスリット１ａ部分がコルゲートチューブ１の周方向に一層ずれにくくなる。また、前記第１、第２の拡径部材１４、１６がコルゲートチューブ１内に挿入されたとき、拡開された前記スリット１ａの縮閉作用による締付力でＶ型の開き角度が狭まるように装着治具本体１２に設けられていることにより、コルゲートチューブ１内に挿入された電線Ａが該チューブ１の中心近傍で第１、第２の拡径部材１４、１６に挟まれて保持される。更に、電線Ａの太さが異なっても、これを両拡径部材１４、１６間で容易に挟むことができる。従って、電線Ａにコルゲートチューブ１をより確実、容易に装着することができ、コルゲートチューブ１の装着の作業性をより向上させることができる。
【００３７】
また、前記装着治具本体１２に、その装着治具本体１２を保持すると共に、電線Ａを把持するグリップ２４、３８、４２が、電線Ａに装着されるコルゲートチューブ１側に延出するように取り付けられていることにより、装着治具本体１２をコルゲートチューブ１に沿って移動させ、第１、第２の拡径部材１４、１６をコルゲートチューブ１内に挿入してコルゲートチューブ１を拡径する際、電線Ａを把持しながら行える。従って、電線Ａをコルゲートチューブ１内に一定の挿入角度で挿入することが可能になり、電線Ａにコルゲートチューブ１を速やかに安定して装着することができる。
【００３８】
更に、第１、第２の拡径部材１４、１６が、例えば、圧縮コイルばね３２からなる付勢部材により拡開状態に保持されることにより、コルゲートチューブ１の装着作業を開始するにあたり、電線Ａに第１、第２の拡径部材１４、１６を速やかに挟むことが可能になり、コルゲートチューブ１の装着の作業性を更に向上させることができる。
【００３９】
図９は本発明に係るコルゲートチューブ装着治具４５の変形例を示すもので、（ａ）は大サイズのコルゲートチューブ１を電線Ａに装着する場合に斜視図、（ｂ）は小サイズのコルゲートチューブ１を電線Ａに装着する場合の斜視図、図１０は該装着治具の拡径部材角度調整機構の概要を示す斜視図、図１１は該装着治具を電線にセットして、コルゲートチューブの装着作業を開始する状態を示す斜視図である。
【００４０】
本実施形態のコルゲートチューブ装着治具４５は、図９（ａ）（ｂ）に示すように、装着治具本体４６に、コルゲートチューブ１内に挿入されてコルゲートチューブ１を拡径する第１、第２の拡径部材４８、５０がＶ型に設けられ、コルゲートチューブ１内に挿入された両拡径部材４８、５０の外側部で拡径されたコルゲートチューブ１の内側面が摺接しながら支持される構成になっている。また、本実施形態のコルゲートチューブ装着治具は、図９、１０に示すように、装着治具本体４６が、コルゲートチューブ１のサイズ（内外径）に合わせて第１、第２の拡径部材４８、５０の開き角度を調整可能な拡径部材角度調整機構５２で構成されている。
【００４１】
第１、第２の拡径部材４８、５０は断面略矩形状の金属片からなり、後部側（コルゲートチューブ１内に挿入される側から遠い側）の外側部が拡径されたコルゲートチューブ１の内側面に当接してその内側面を支持するために外側に凸状にわん曲した支持面４８ａ、５０ａに形成されている。Ｖ型に設けられた第１、第２の拡径部材４８、５０が接近する谷部に相当する先端がコルゲートチューブ１内に挿入されて、コルゲートチューブ１を拡径し、スリット１ａを拡開する。
【００４２】
装着治具本体４６を構成する拡径部材角度調整機構５２は第１、第２の拡径部材４８、５０の後部側に配設されている。拡径部材角度調整機構５２は、図１０に示すように、外側（第１、第２の拡径部材４８、５０の後部側に相当する）に凸状にわん曲する長形弧状の第１のアーム５４と、その内側（第１、第２の拡径部材４８、５０の先端側に相当する）に重合するように設けられた、外側に凸状にわん曲する短形弧状の第２のアーム５６と、第１のアーム５４と第２のアーム５６とを重合状態で固定するアーム固定部材５８とからなっている。
【００４３】
第１のアーム５４は基部側（図９（ａ）の右側）が第１の拡径部材４８に先端が後部より上方に位置するように傾斜して片持状に支持されている。また、第２のアーム５６は基部側（図９（ａ）の左側）が第２の拡径部材５０に先端が後部より上方に位置するように傾斜して片持状に支持されている。
【００４４】
アーム固定部材５８は、第１のアーム５４にその長手方向に沿って形成された横長穴６０と、第１のアーム５４の裏面（第２のアーム５６側）に幅方向に所定間隔をおいて形成された複数の係止溝６２と、第２のアーム５６に形成された挿通穴６４と、第２のアーム５６に第１のアーム５４の係止溝６２に係合するように突出された係止ピン６６と、第１のアーム５４の横長穴６０と第２のアーム５６の挿通穴６４に挿通され、第１のアーム５４と第２のアーム５６とを長手方向における所定位置で固定する固定ボルト（固定ピン）６４と固定ナット６６とからなっている。
【００４５】
そして、コルゲートチューブ１のサイズに合わせて、第１、第２の拡径部材４８、５０のＶ型の開き角度を拡径部材角度調整機構５２で広狭調整する場合には以下説明するようにして行う。即ち、内外径の大きな大サイズのコルゲートチューブ１を電線Ａに装着する場合には、第１、第２の拡径部材４８、５０の開き角度を広げる。反対に、内外径の小さな小サイズのコルゲートチューブ１を電線Ａに装着する場合には、第１、第２の拡径部材４８、５０の開き角度を狭める。
【００４６】
第１、第２の拡径部材４８、５０の開き角度を広げる場合には、拡径部材角度調整機構５２の固定ボルト６４と固定ナット７０を緩めて、第２のアーム５６を第１のアーム５４に対して、図９（ａ）、図１０の左側の所定位置まで移動させ、係止ピン６６を左側寄りの係止溝６２に係合し、固定ボルト６４と固定ナット７０を締め付け固定することにより行う。反対に、第１、第２の拡径部材４８、５０の開き角度を狭める場合には、拡径部材角度調整機構５２の固定ボルト６４と固定ナット７０を緩めて、第２のアーム５６を第１のアーム５４に対して、図９（ａ）、図１０の右側の所定位置まで移動させ、係止ピン６６を右側寄りの係止溝６２に係合し、固定ボルト６４と固定ナット７０を締め付け固定することにより行う。
【００４７】
本実施形態のコルゲートチューブ装着治具４５を用いて所定サイズのコルゲートチューブ１を電線Ａに装着する場合には、図１１に示すように、コルゲートチューブ１のサイズに合わせて第１、第２の拡径部材４８、５０の開き角度を拡径部材角度調整機構５２により調整する。次に、装着治具本体４６、即ち、拡径部材角度調整機構５２の上に電線Ａをセット（載置）する。次に、左手で第１、第２の拡径部材４８、５０の後部側及び電線Ａを把持し、右手でコルゲートチューブ１の外周面を把持して、コルゲートチューブ１を図１１の矢印Ｑ方向に移動させ、第１、第２の拡径部材４８、５０の先端に押し込むことにより、コルゲートチューブ１内に両拡径部材４８、５０を挿入する。これにより、コルゲートチューブ１を拡径し、スリット１ａ（図示せず）を拡開して、両拡径部材４８、５０の外側部の支持面４８ａ、５０ａで、拡径されたコルゲートチューブ１の内側面を支持させ、拡開されたスリット１ａからコルゲートチューブ１内に挿入する。このようにして、前記コルゲートチューブ１を矢印Ｑ方向に移動させながら、該チューブ１内に電線Ａを挿入し、電線Ａにコルゲートチューブ１を全長又は所定長さ区間にわたり被せて装着する。
【００４８】
本実施形態のコルゲートチューブ装着治具４５によると、コルゲートチューブ１内に挿入された両拡径部材１４、１６の外側部で、拡径されたコルゲートチューブ１の内側面が摺接しながら支持されることにより、装着治具本体１２をコルゲートチューブ１に沿って移動させ、第１、第２の拡径部材１４、１６をコルゲートチューブ１内に挿入してコルゲートチューブ１を拡径し、スリット１ａを拡開した後、拡開されたスリット１ａ部分がコルゲートチューブ装着治具１０の中心軸線の回りを回動しなくなり、該チューブ１の周方向にずれにくくなる。従って、電線Ａをコルゲートチューブ１内に挿入することが容易になり、電線Ａにコルゲートチューブ１を確実に装着することができる。また、構造が簡単でコストが安くなるほか、取り扱いが容易になり、コルゲートチューブ１の装着の作業性を向上させることができる。
【００４９】
更に、前記装着治具本体４６がコルゲートチューブ１のサイズに合わせて第１、第２の拡径部材４８、５０の開き角度を調整可能な拡径部材角度調整機構５２で構成されていることにより、コルゲートチューブ１のサイズが異なった場合には、そのサイズに合った第１、第２の拡径部材４８、５０の開き角度に調整すればよく、使用に便利である。また、該装着治具４５を複数用意する必要がなく経済的である。更に、該装着治具４５の構造が簡単になり軽量小型化を図ることができる。
【図面の簡単な説明】
【００５０】
【図１】本発明の１実施形態を示す斜視図である。
【図２】図１のＸ−Ｘ断面図である。
【図３】図１のＹ−Ｙ断面図である。
【図４】図１の実施形態の装着治具を電線にセットして、コルゲートチューブの装着作業を開始する状態を示す斜視図である。
【図５】図１の実施形態の装着治具を用いて、電線にコルゲートチューブを装着している状態を示す斜視図である。
【図６】図５のＺ−Ｚ断面図である。
【図７】図１における第１、第２の拡径部材に形成される案内溝の変形例を示すもので、（ａ）は逆L型の案内溝からなるもの、（ｂ）はコ字状の案内溝からなるものの断面図である。
【図８】図１におけるグリップの変形例を示すもので、（ａ）はグリップの先端にコ字状の突起を設けたもの、（ｂ）はグリップの略全長にわたりコ字状の突起を設けたものの概要図である。
【図９】本発明に係るコルゲートチューブ装着治具の変形例を示すもので、（ａ）は大サイズのコルゲートチューブ１を電線に装着する場合の斜視図、（ｂ）は小サイズのコルゲートチューブ１を電線に装着する場合の斜視図である。
【図１０】図９のコルゲートチューブ装着治具における拡径部材角度調整機構の概要を示す斜視図である。
【図１１】図９のコルゲートチューブ装着治具を電線にセットして、コルゲートチューブの装着作業を開始する状態を示す斜視図である。
【図１２】従来の装着治具を用いてコルゲートチューブを装着する状態を示す斜視図である。
【図１３】従来の他の装着治具を用いてコルゲートチューブを装着する状態を示す縦段断面図である。
【符号の説明】
【００５１】
Ａ      電線
１      コルゲートチューブ
１ａ    スリット
１ｂ    縁部
１０、４５    コルゲートチューブ装着治具
１２、４６    装着治具本体
１２ａ  割込み部
１２ｂ、１４ａ、１６ａ、２４ａ  鍔
１４、４８    第１の拡径部材
１６、５０    第２の拡径部材
１８    ヒンジ継手
２０    枢支部
２０ａ、３０ａ  ボルト
２０ｂ、３０ｂ  ナット
２２、３４、３６  案内溝
２４、３８、４２  グリップ
２６    連結継手
２８、４０、４４  突起
３０    固定部
３２    圧縮コイルばね
４８ａ  支持面
５０ａ  支持面
５２    拡径部材角度調整機構
５４    第１のアーム
５６    第２のアーム
５８    アーム固定部材
６０    横長穴
６２    係止溝
６４    挿通穴
６６    係止ピン
６８    固定ボルト
７０    固定ナット
【図１】
2007028766.tif 000003
【図２】
2007028766.tif 000004
【図３】
2007028766.tif 000005
【図４】
2007028766.tif 000006
【図５】
2007028766.tif 000007
【図６】
2007028766.tif 000008
【図７】
2007028766.tif 000009
【図８】
2007028766.tif 000010
【図９】
2007028766.tif 000011
【図１０】
2007028766.tif 000012
【図１１】
2007028766.tif 000013
【図１２】
2007028766.tif 000014
【図１３】
2007028766.tif 000015